【手続補正書】
【提出日】平成18年12月1日(2006.12.1)
【手続補正１】
【補正対象書類名】特許請求の範囲
【補正対象項目名】全文
【補正方法】変更
【補正の内容】
【特許請求の範囲】
【請求項１】
イメージを表示するように構成された複数のピクセルを有するディスプレイ装置と接続されたコンピューティングシステムにおいて、前記コンピューティングシステムは、アルファ値を使用した混合プロセスを実行し、前記イメージを表示する前記ピクセルの前景色および背景色を制御するように構成されたグラフィックス処理ユニットを含み、前記グラフィックス処理ユニットによって受け取られた前記アルファ値を補正して、ガンマ補正なしに、前記ディスプレイ装置での前記イメージの表示を可能にする方法であって、
１または複数の所定のガンマ値について補正係数セットを受け取る動作であって、前記１または複数のガンマ値の各々についての前記補正係数セットは、第１の補正係数、第２の補正係数、第３の補正係数、および第４の補正係数を含み、前記所定のガンマ値のうちの少なくとも１つは、前記ディスプレイ装置の前記ガンマ値を含む動作と、
前記グラフィックス処理ユニットによって混合プロセスを実行する前に補正されるべきフィルタリング済みアルファ値を受け取って、前記ディスプレイ装置で前記イメージを表示する前記ピクセルの前記前景色および前記背景色を決定する動作と、
前記フィルタリング済みアルファ値でアルファ補正を実行する際に使用される前記ピクセルの１または複数の前景色を受け取る動作と、
前記フィルタリング済みアルファ値のアルファ補正を実行して、補正済みアルファ値を取得するステップであって、前記アルファ補正は、前記補正係数セットおよび前記１または複数の前景色を使用し、前記アルファ補正を実行する動作は、前記補正済みアルファ値の計算を含み、各補正済みアルファ値は（補正済みアルファ値）＝（α＋（１−α）（ｃ１αｆ＋ｃ２α＋ｃ３ｆ＋ｃ４））の形式を取り、ここで、αは前記対応するフィルタリング済みα値であり、ｆは前記アルファ値に対応するピクセルの前景であり、ｃ１は第１の補正係数、ｃ２は第２の補正係数、ｃ３は第３の補正係数、ｃ４は第４の補正係数であるステップと、
前記ピクセルの前記前景色および背景色で動作する前記補正済みアルファ値を使用してグラフィック混合プロセスを実行し、前記ディスプレイ装置での前記イメージの表示に使用される前記ピクセル値を決定する動作と
を備えたことを特徴とする方法。
【請求項２】
アルファ補正を実行するステップは、
前記ディスプレイ装置の前記ガンマ値に対応する前記補正係数セットを選択する動作と、
前記フィルタリング済みアルファ値、前記前景値、および前記選択された補正係数セットを使用して、前記補正済みアルファ値を計算する動作と
を備えたことを特徴とする請求項１に記載の方法。
【請求項３】
ガンマ補正なしに前記ディスプレイ装置で前記イメージを表示する動作をさらに含むことを特徴とする請求項１に記載の方法。
【請求項４】
前記フィルタリング済みアルファ値は、前記ディスプレイ装置で前記イメージを表示するために使用される各ピクセルについて３つのフィルタリング済みアルファ値のセットを含むことを特徴とする請求項１に記載の方法。
【請求項５】
前記補正済みアルファ値は、前記フィルタリング済みアルファ値の各々に対応する３つの補正済みアルファ値のセットを含み、前記補正済みアルファ値は、前記フィルタリング済みアルファ値から導出されることを特徴とする請求項４に記載の方法。
【請求項６】
前記１または複数のガンマ値の各々について最適化を実行することにより、前記１または複数のガンマ値の各々について前記補正係数セットを計算する動作であって、前記最適化は、前記アルファ補正の誤差を最小限にする動作をさらに備えたことを特徴とする請求項１に記載の方法。
【請求項７】
前記１または複数のガンマ値は、約１．０から約２．２までの領域内において０．１の増分であるガンマ値を含むことを特徴とする請求項６に記載の方法。
【請求項８】
前記最適化は、制約セットによって制約され、前記制約セットは、前記補正済みアルファ値が０から１までの領域内にあることを保証するように選択されることを特徴とする請求項６に記載の方法。
【請求項９】
イメージを表示するように構成された複数のピクセルを有するディスプレイ装置と接続されたコンピューティングシステムにおいて、前記コンピューティングシステムは、アルファ値を使用した混合プロセスを実行し、前記イメージを表示する前記ピクセルの前景色および背景色を制御するように構成されたグラフィックス処理ユニットを含み、前記グラフィックス処理ユニットによって受け取られた前記アルファ値を補正して、ガンマ補正なしに、前記ディスプレイ装置での前記イメージの表示を可能にする方法であって、
１または複数の所定のガンマ値について補正係数セットを受け取る動作であって、前記１または複数のガンマ値の各々についての前記補正係数セットは、第１の補正係数、第２の補正係数、第３の補正係数、および第４の補正係数を含み、前記所定のガンマ値のうちの少なくとも１つは、前記ディスプレイ装置の前記ガンマ値を含む動作と、
前記グラフィックス処理ユニットによって混合プロセスを実行する前に補正されるべき１または複数のフィルタリング済みアルファ値を受け取って、前記ディスプレイ装置で前記イメージを表示する前記ピクセルの前記前景色および前記背景色を決定する動作と、
前記１または複数のフィルタリング済みアルファ値でアルファ補正を実行する際に使用される１または複数の前景色を受け取る動作と、
前記ディスプレイ装置の前記ガンマ値に対応する前記補正係数セットを選択する動作と、
前記１または複数のフィルタリング済みアルファ値、前記１または複数の前景色、および前記選択された補正係数セットを使用して、１または複数の補正済みアルファ値を計算する動作であって、各補正済みアルファ値は（補正済みアルファ値）＝（α＋（１−α）（ｃ１αｆ＋ｃ２α＋ｃ３ｆ＋ｃ４））の形式を取り、ここで、αは前記対応するフィルタリング済みα値であり、ｆは前記アルファ値に対応するピクセルの前景であり、ｃ１は第１の補正係数、ｃ２は第２の補正係数、ｃ３は第３の補正係数、ｃ４は第４の補正係数である動作と、
前記ピクセルの前記前景色および背景色で動作する前記補正済みアルファ値を使用してグラフィック混合プロセスを実行し、前記ディスプレイ装置での前記イメージの表示に使用される前記ピクセル値を決定する動作と
を備えたことを特徴とする方法。
【請求項１０】
ガンマ補正なしに前記ディスプレイ装置で前記イメージを表示する動作をさらに含むことを特徴とする請求項９に記載の方法。
【請求項１１】
前記フィルタリング済みアルファ値は、前記ディスプレイ装置で前記イメージを表示するために使用される各ピクセルについて３つのフィルタリング済みアルファ値のセットを含むことを特徴とする請求項９に記載の方法。
【請求項１２】
前記補正済みアルファ値は、前記イメージを表示する各ピクセルに対応する３つの補正済みアルファ値のセットを含み、前記補正済みアルファ値は、前記フィルタリング済みアルファ値から導出されることを特徴とする請求項１１に記載の方法。
【請求項１３】
前記１または複数のガンマ値の各々について前記補正係数セットを計算する動作は、前記１または複数のガンマ値の各々について最適化を実行することを含むことを特徴とする請求項９に記載の方法。
【請求項１４】
前記１または複数のガンマ値は、約１．０から約２．２までの領域内において０．１の増分であるガンマ値を含むことを特徴とする請求項１３に記載の方法。
【請求項１５】
前記最適化は、制約セットによって制約され、前記制約セットは、前記補正済みアルファ値が０から１までの領域内にあることを保証するように選択されることを特徴とする請求項１３に記載の方法。
【請求項１６】
イメージを表示するように構成された複数のピクセルを有するディスプレイ装置と接続されたコンピューティングシステムで使用するコンピュータプログラムであって、前記コンピューティングシステムは、アルファ値を使用した混合プロセスを実行し、前記イメージを表示する前記ピクセルの前景色および背景色を制御するように構成されたグラフィックス処理ユニットを含み、前記コンピュータプログラムは、前記グラフィックス処理ユニットによって受け取られた前記アルファ値を補正して、ガンマ補正なしに、前記ディスプレイ装置での前記イメージの表示を可能にする方法を実施するためのコンピュータ実行可能命令を有し、前記方法は、
１または複数の所定のガンマ値について補正係数セットを受け取る動作であって、前記１または複数のガンマ値の各々についての前記補正係数セットは、第１の補正係数、第２の補正係数、第３の補正係数、および第４の補正係数を含み、前記所定のガンマ値のうちの少なくとも１つは、前記ディスプレイ装置の前記ガンマ値を含む動作と、
前記グラフィックス処理ユニットによってグラフィックス混合プロセスを実行する前に補正されるべき１または複数のフィルタリング済みアルファ値を受け取って、前記ディスプレイ装置で前記イメージを表示する前記ピクセルの前記前景色および前記背景色を決定する動作と、
前記１または複数のフィルタリング済みアルファ値でアルファ補正を実行する際に使用される１または複数の前景色を受け取る動作と、
前記ディスプレイ装置の前記ガンマ値に対応する前記補正係数セットを選択する動作と、
前記１または複数のフィルタリング済みアルファ値および前記選択された補正係数セットを使用して、１または複数の補正済みアルファ値を計算する動作であって、前記計算する動作は、前記補正係数および前記前景色を使用し、各補正済みアルファ値は（補正済みアルファ値）＝（α＋（１−α）（ｃ１αｆ＋ｃ２α＋ｃ３ｆ＋ｃ４））の形式を取り、ここで、αは前記対応するフィルタリング済みα値であり、ｆは前記アルファ値に対応するピクセルの前景であり、ｃ１は第１の補正係数、ｃ２は第２の補正係数、ｃ３は第３の補正係数、ｃ４は第４の補正係数である動作と、
前記ピクセルの前記前景色および背景色で動作する前記補正済みアルファ値を使用してグラフィック混合プロセスを実行し、前記ディスプレイ装置での前記イメージの表示に使用される前記ピクセル値を決定する動作と
を備えたことを特徴とするコンピュータプログラム。
【請求項１７】
ガンマ補正なしに前記ディスプレイ装置で前記イメージを表示する動作をさらに含むことを特徴とする請求項１６に記載のコンピュータプログラム。
【請求項１８】
前記フィルタリング済みアルファ値は、前記ディスプレイ装置で前記イメージを表示するために使用される各ピクセルについて３つのフィルタリング済みアルファ値のセットを含むことを特徴とする請求項１６に記載のコンピュータプログラム。
【請求項１９】
前記補正済みアルファ値は、前記イメージを表示する各ピクセルに対応する３つの補正済みアルファ値のセットを含み、前記補正済みアルファ値は、前記フィルタリング済みアルファ値から導出されることを特徴とする請求項１８に記載のコンピュータプログラム。
【請求項２０】
前記１または複数のガンマ値の各々について最適化を実行することにより、前記１または複数のガンマ値の各々について前記補正係数セットを計算する動作であって、前記最適化は、前記アルファ補正の誤差を最小限にする動作をさらに備えたことを特徴とする請求項１６に記載のコンピュータプログラム。
【請求項２１】
前記１または複数のガンマ値は、約１．０から約２．２までの領域内において０．１の増分であるガンマ値を含むことを特徴とする請求項２０に記載のコンピュータプログラム。
【請求項２２】
前記最適化は、制約セットによって制約され、前記制約セットは、前記補正済みアルファ値が０から１までの領域内にあることを保証するように選択されることを特徴とする請求項２０に記載のコンピュータプログラム。
【請求項２３】
請求項１８ないし請求項２５のいずれかに記載のコンピュータプログラムを記録したことを特徴とするコンピュータ読み取り可能な記録媒体。
【手続補正２】
【補正対象書類名】明細書
【補正対象項目名】発明の名称
【補正方法】変更
【補正の内容】
【発明の名称】ガンマ補正の欠如を補償するためのアルファ補正の方法